(57)【特許請求の範囲】
【請求項１】
端末との間の無線通信に複数の搬送周波数を使用する基地局を制御対象とする制御情報を出力する制御装置であり、
前記複数の搬送周波数のうち、第１の搬送周波数を使用する前記基地局の無線通信装置の異常が検出されたことを示す通知を受信した場合、前記第１の搬送周波数のカバレッジに基づいて、他基地局の搬送周波数のカバレッジ、又は第２の搬送周波数のカバレッジを決定する搬送波制御部と、
前記決定されたカバレッジについての前記制御情報を、前記基地局に出力する出力部と、
を備え、
前記搬送波制御部は、前記第２の搬送周波数のカバレッジのトラフィック負荷に余裕があるか否かを判定し、前記第２の搬送周波数のカバレッジのトラフィック負荷に余裕がある場合に前記第２の搬送周波数のカバレッジを拡大させ、前記第２の搬送周波数のカバレッジのトラフィック負荷に余裕がない場合に他基地局の搬送周波数のカバレッジと前記第２の搬送周波数のカバレッジとの間でトラフィック負荷の調整を実行する制御装置。
【請求項２】
前記搬送波制御部は、前記第１の搬送周波数のカバレッジが縮小した場合、他基地局の搬送周波数のカバレッジ、又は前記第２の搬送周波数のカバレッジを拡大させる、請求項１に記載の制御装置。
【請求項３】
前記搬送波制御部は、前記第１の搬送周波数が停波したことを示す通知を受信した場合、他基地局の搬送周波数のカバレッジ、又は前記第２の搬送周波数のカバレッジを拡大させる、請求項１又は請求項２に記載の制御装置。
【請求項４】
前記搬送波制御部は、前記無線通信装置の異常が検出されたことを示す通知を受信してから一定時間が経過した場合、他基地局の搬送周波数のカバレッジ、又は前記第２の搬送周波数のカバレッジを拡大させる、請求項１又は請求項２に記載の制御装置。
【請求項５】
前記搬送波制御部は、前記無線通信装置の異常が解消したことを示す通知を受信した場合、他基地局の搬送周波数のカバレッジ、又は前記第２の搬送周波数のカバレッジを縮小させる、請求項２から請求項４のいずれか一項に記載の制御装置。
【請求項６】
前記第１の搬送周波数は、他基地局の搬送周波数のカバレッジ、又は前記第２の搬送周波数のカバレッジを決定するための第１の条件である第１のカバレッジ決定条件が設けられた搬送周波数であり、
前記第２の搬送周波数は、他基地局の搬送周波数のカバレッジ、又は前記第１の搬送周波数のカバレッジを決定するための第２の条件である第２のカバレッジ決定条件が設けられた搬送周波数である、請求項１から請求項５のいずれか一項に記載の制御装置。
【請求項７】
前記搬送波制御部は、前記第１の搬送周波数を使用する前記基地局の無線通信装置の異常が検出されたことを示す通知を受信した場合、元の前記第２のカバレッジ決定条件を現在の前記第２のカバレッジ決定条件に変更し、前記第１の搬送周波数のカバレッジが回復したことを示す通知を受信した場合、現在の前記第２のカバレッジ決定条件を、元の前記第２のカバレッジ決定条件に戻す、請求項６に記載の制御装置。
【請求項８】
前記制御情報は、前記基地局のアンテナのチルト角を制御する情報である、請求項１から請求項７のいずれか一項に記載の制御装置。
【請求項９】
前記制御情報は、前記基地局の送信電力を制御する情報である、請求項１から請求項７のいずれか一項に記載の制御装置。
【請求項１０】
前記搬送波制御部は、複数の前記基地局について、他基地局の搬送周波数のカバレッジ、又は前記第２の搬送周波数のカバレッジを決定する、請求項１から請求項９のいずれか一項に記載の制御装置。
【請求項１１】
前記搬送波制御部は、前記基地局とは別に集中して設けられる、請求項１から請求項１０のいずれか一項に記載の制御装置。
【請求項１２】
前記搬送波制御部は、複数の前記基地局に分散して設けられる、請求項１から請求項１０のいずれか一項に記載の制御装置。
【請求項１３】
端末との間の無線通信に複数の搬送周波数を使用する基地局を制御対象とする制御情報を出力する制御装置における制御方法であって、
前記複数の搬送周波数のうち、第１の搬送周波数を使用する前記基地局の無線通信装置の異常が検出されたことを示す通知を受信した場合、前記第１の搬送周波数のカバレッジに基づいて、他基地局の搬送周波数のカバレッジ、又は第２の搬送周波数のカバレッジを決定するステップと、
前記決定されたカバレッジについての前記制御情報を、前記基地局に出力するステップと、
を有し、
前記カバレッジを決定するステップでは、前記第２の搬送周波数のカバレッジのトラフィック負荷に余裕があるか否かを判定し、前記第２の搬送周波数のカバレッジのトラフィック負荷に余裕がある場合に前記第２の搬送周波数のカバレッジを拡大させ、前記第２の搬送周波数のカバレッジのトラフィック負荷に余裕がない場合に他基地局の搬送周波数のカバレッジと前記第２の搬送周波数のカバレッジとの間でトラフィック負荷の調整を実行する制御方法。
【請求項１４】
端末との間の無線通信に複数の搬送周波数を使用する基地局を制御対象とする制御情報を出力する制御装置におけるコンピュータに、
前記複数の搬送周波数のうち、第１の搬送周波数を使用する前記基地局の無線通信装置の異常が検出されたことを示す通知を受信した場合、前記第１の搬送周波数のカバレッジに基づいて、他基地局の搬送周波数のカバレッジ、又は第２の搬送周波数のカバレッジを決定する手順と、
前記決定されたカバレッジについての前記制御情報を、前記基地局に出力する手順と、
を実行させ、
前記カバレッジを決定する手順では、前記第２の搬送周波数のカバレッジのトラフィック負荷に余裕があるか否かを判定し、前記第２の搬送周波数のカバレッジのトラフィック負荷に余裕がある場合に前記第２の搬送周波数のカバレッジを拡大させ、前記第２の搬送周波数のカバレッジのトラフィック負荷に余裕がない場合に他基地局の搬送周波数のカバレッジと前記第２の搬送周波数のカバレッジとの間でトラフィック負荷の調整を実行するための制御プログラム。
【発明の詳細な説明】
【技術分野】
【０００１】
本発明は、制御装置、制御方法、及び制御プログラムに関する。
【背景技術】
【０００２】
無線通信システムにおいて、基地局装置は、アンテナ装置のチルト角を変更することによって、使用する搬送周波数ごとのカバレッジを変更する（特許文献１参照）。
【先行技術文献】
【特許文献】
【０００３】
【特許文献１】特開２０１２−１６０１５号公報
【発明の概要】
【発明が解決しようとする課題】
【０００４】
しかしながら、制御装置は、複数の搬送周波数のうちいずれかが使用できない場合には、その悪影響を低減することができない、という問題がある。
【０００５】
本発明は、複数の搬送周波数のうちいずれかが使用できない場合でも、その悪影響を低減することができる制御装置、制御方法及び制御プログラムを提供することを目的とする。
【課題を解決するための手段】
【０００６】
本発明の一態様は、端末との間の無線通信に複数の搬送周波数を使用する基地局を制御対象とする制御情報を出力する制御装置であり、前記複数の搬送周波数のうち、第１の搬送周波数を使用する前記基地局の無線通信装置の異常が検出されたことを示す通知を受信した場合、前記第１の搬送周波数のカバレッジに基づいて、他基地局の搬送周波数のカバレッジ、又は第２の搬送周波数のカバレッジを決定する搬送波制御部と、前記決定されたカバレッジについての前記制御情報を、前記基地局に出力する出力部と、を備える制御装置である。
【０００７】
また、本発明の一態様は、前記搬送波制御部が、前記第１の搬送周波数のカバレッジが縮小した場合、他基地局の搬送周波数のカバレッジ、又は前記第２の搬送周波数のカバレッジを拡大させる制御装置である。
【０００８】
また、本発明の一態様は、前記搬送波制御部が、前記第１の搬送周波数が停波したことを示す通知を受信した場合、他基地局の搬送周波数のカバレッジ、又は前記第２の搬送周波数のカバレッジを拡大させる制御装置である。
【０００９】
また、本発明の一態様は、前記搬送波制御部が、前記無線通信装置の異常が検出されたことを示す通知を受信してから一定時間が経過した場合、他基地局の搬送周波数のカバレッジ、又は前記第２の搬送周波数のカバレッジを拡大させる制御装置である。
【００１０】
また、本発明の一態様は、前記搬送波制御部が、前記無線通信装置の異常が解消したことを示す通知を受信した場合、他基地局の搬送周波数のカバレッジ、又は前記第２の搬送周波数のカバレッジを縮小させる制御装置である。
【００１１】
また、本発明の一態様は、前記第１の搬送周波数が、カバレッジを決定するための第１の条件である第１のカバレッジ決定条件が設けられた搬送周波数であり、前記第２の搬送周波数が、カバレッジを決定するための第２の条件である第２のカバレッジ決定条件が設けられた搬送周波数である制御装置である。
【００１２】
また、本発明の一態様は、前記搬送波制御部が、前記第１の搬送周波数のカバレッジが回復したことを示す通知を受信した場合、現在の前記第２のカバレッジ決定条件を、元の前記第２のカバレッジ決定条件に戻す制御装置である。
【００１３】
また、本発明の一態様は、前記制御情報が、前記基地局のアンテナのチルト角を制御する情報である制御装置である。
【００１４】
また、本発明の一態様は、前記制御情報が、前記基地局の送信電力を制御する情報である制御装置である。
【００１５】
また、本発明の一態様は、前記搬送波制御部が、複数の前記基地局について、他基地局の搬送周波数のカバレッジ、又は前記第２の搬送周波数のカバレッジを決定する制御装置である。
【００１６】
また、本発明の一態様は、前記搬送波制御部が、前記基地局とは別に集中して設けられる制御装置である。
【００１７】
また、本発明の一態様は、前記搬送波制御部が、複数の前記基地局に分散して設けられる制御装置である。
【００１８】
また、本発明の一態様は、端末との間の無線通信に複数の搬送周波数を使用する基地局を制御対象とする制御情報を出力する制御装置における制御方法であって、前記複数の搬送周波数のうち、第１の搬送周波数を使用する前記基地局の無線通信装置の異常が検出されたことを示す通知を受信した場合、前記第１の搬送周波数のカバレッジに基づいて、第２の搬送周波数のカバレッジを決定するステップと、前記決定されたカバレッジについての前記制御情報を、前記基地局に出力するステップと、を有する制御方法である。
【００１９】
また、本発明の一態様は、端末との間の無線通信に複数の搬送周波数を使用する基地局を制御対象とする制御情報を出力する制御装置におけるコンピュータに、前記複数の搬送周波数のうち、第１の搬送周波数を使用する前記基地局の無線通信装置の異常が検出されたことを示す通知を受信した場合、前記第１の搬送周波数のカバレッジに基づいて、第２の搬送周波数のカバレッジを決定する手順と、前記決定されたカバレッジについての前記制御情報を、前記基地局に出力する手順と、を実行させるための制御プログラムである。
【発明の効果】
【００２０】
本発明によれば、搬送波制御部は、複数の搬送周波数のうち、第１の搬送周波数を使用する基地局の無線通信装置の異常が検出されたことを示す通知を受信した場合、第１の搬送周波数のカバレッジに基づいて、第２の搬送周波数のカバレッジを決定する。これにより、制御装置、制御方法及び制御プログラムは、複数の搬送周波数のうちいずれかが使用できない場合でも、その悪影響を低減することができる。
【図面の簡単な説明】
【００２１】
【図１】本発明の第１実施形態における、無線通信システムを示す構成図である。
【図２】本発明の第１実施形態における、カバレッジの例を示す説明図である。
【図３】本発明の第１実施形態における、チルト角を示す説明図である。
【図４】本発明の第１実施形態における、搬送波周波数と、搬送波周波数の用途と、アンテナ装置のチルト角との例を示す図である。
【図５】本発明の第１実施形態における、カバレッジ決定条件の第１例を示す図である。
【図６】本発明の第１実施形態における、カバレッジ決定条件の第２例を示す図である。
【図７】本発明の第１実施形態における、カバレッジの第１例を示す図である。
【図８】本発明の第１実施形態における、カバレッジの第１例において失ったカバレッジを補う方法の例を示す図である。
【図９】本発明の第１実施形態における、カバレッジの第２例を示す図である。
【図１０】本発明の第１実施形態における、カバレッジの第２例において失ったカバレッジを補う方法の例を示す図である。
【図１１】本発明の第１実施形態における、無線通信システムの動作を示すシーケンス図である。
【図１２】本発明の第２実施形態における、無線通信システムを示す構成図である。
【図１３】本発明の第２実施形態における、無線通信システムの動作を示すシーケンス図である。
【発明を実施するための形態】
【００２２】
［第１実施形態］
本発明の第１実施形態について図面を参照して詳細に説明する。図１は、無線通信システム１を示す構成図である。無線通信システム１は、制御装置１０と、複数の基地局装置２０と、チルト制御装置３０と、アンテナ装置３１と、一つ以上の端末装置４０とを備える。制御装置１０は、有線又は無線の通信回線を介して、基地局装置２０−１〜２０−Ｍ（Ｍは、２以上の整数）を集中制御する。
【００２３】
以下、基地局装置２０−１〜２０−Ｍに共通する事項については、符号の一部を省略して、「基地局装置２０」と表記する。チルト制御装置３０−１〜３０−Ｍに共通する事項については、符号の一部を省略して、「チルト制御装置３０」と表記する。アンテナ装置３１−１〜３１−Ｍに共通する事項については、符号の一部を省略して、「アンテナ装置３１」と表記する。
【００２４】
基地局装置２０は、複数の搬送周波数の電波を使用して、自装置のカバレッジ内に存在する端末装置４０との無線通信を実行する。カバレッジは、アンテナ装置３１のチルト角に応じて、搬送周波数ごとに定まる。搬送周波数として、例えば、８００ＭＨｚ帯、１．５ＧＨｚ帯、２ＧＨｚ帯などが挙げられる。基地局装置２０は、制御装置１０による集中制御に基づいて、アンテナ装置３１のチルト角を変更する指示（以下、「チルト角変更指示」という。）を、チルト制御装置３０に送信する。
【００２５】
チルト制御装置３０（リモート・チルト・ユニット）（RET: Remote Electrical Tilt Unit）は、チルト角変更指示に応じて、アンテナ装置３１のチルト角を搬送周波数ごとに変更する。チルト制御装置３０は、アンテナ装置３１に内蔵されていてもよい。
アンテナ装置３１は、複数の搬送周波数の電波を、端末装置４０との間で送受可能である。アンテナ装置３１のチルト角は、搬送周波数ごとに定められる。すなわち、アンテナ装置３１のチルト角は、カバレッジごとに定められる。
【００２６】
図２は、カバレッジの例を示す説明図である。基地局装置２０は、カバレッジＣｏｖ＿ｆ１内に存在する端末装置４０との間で、搬送周波数ｆ１を使用して無線通信を実行する。また、基地局装置２０は、カバレッジＣｏｖ＿ｆ２内に存在する端末装置４０との間で、搬送周波数ｆ２を使用して無線通信を実行してもよい。端末装置４０との通信接続の状況が存在する領域（エリア）には、カバレッジが及んでいる、と判定される。一方、端末装置４０との通信接続の状況が所定期間存在しない領域には、カバレッジが及んでいない領域（カバレッジホール）が存在する、と判定される。
【００２７】
図３は、チルト角を示す説明図である。基地局装置２０と、チルト制御装置３０と、アンテナ装置３１とは、例えば、建物Ｂｕの屋上にそれぞれ備えられる。メインローブ方向ＤｉｒＢＭは、アンテナ装置３１の垂直放射パターンのメインローブＢＭの指向方向である。また、基地局装置２０のアンテナ装置３１のチルト角θ＿ｔｉｌｔは、水平方向ＤｉｒＨを基準として、水平方向ＤｉｒＨとメインローブ方向ＤｉｒＢＭとが成す俯角である。
【００２８】
メインローブ方向ＤｉｒＢＭは、チルト角θ＿ｔｉｌｔが大きくなるほど、すなわち、アンテナ装置３１がダウンチルトするほど、地面Ｇｒに向かう。したがって、基地局装置２０のカバレッジは、チルト角θ＿ｔｉｌｔが大きくなるほど縮小する。換言すれば、メインローブ方向ＤｉｒＢＭは、チルト角θ＿ｔｉｌｔが小さくなるほど、すなわち、アンテナ装置３１がアップチルトするほど、水平方向ＤｉｒＨに近づく。したがって、基地局装置２０のカバレッジは、チルト角θ＿ｔｉｌｔが小さくなるほど拡大する。
【００２９】
図４は、搬送波周波数と、搬送波周波数の用途と、アンテナ装置３１のチルト角との例を示す図である。搬送波周波数の用途は、基地局装置２０の運用方針によって定まる。用途「カバレッジ」は、例えば、キャパシティ（トラフィック負荷）の増加よりもカバレッジの拡大を優先する用途である。また、用途「キャパシティ」は、例えば、カバレッジの拡大よりもキャパシティの増加を優先する用途である。
【００３０】
図４では、搬送波周波数「搬送波周波数ｆ１」と、搬送波周波数の用途「カバレッジ」と、チルト角「８度」と、調整角「±０．２度」とが対応付けられている。また、搬送波周波数「搬送波周波数ｆ２」と、搬送波周波数の用途「カバレッジ又はキャパシティ」と、チルト角「４度」と、調整角「±０．２度」とが対応付けられている。また、搬送波周波数「搬送波周波数ｆ３」と、搬送波周波数の用途「カバレッジ又はキャパシティ」と、チルト角「４度」と、調整角「±４度」とが対応付けられている。なお、これらは一例である。例えば、搬送波周波数には、その搬送周波数の近い帯域が含まれていてもよい。
【００３１】
制御装置１０の構成を説明する。
制御装置１０は、搬送波制御部１１と、出力部１２とを備える。第１実施形態では、搬送波制御部１１は、基地局装置２０とは別の制御装置１０（保守制御卓）（EMS: Element Management System）に集中して設けられている。搬送波制御部１１は、カバレッジ決定条件記憶部５１と、カバレッジ決定部５２と、基地局管理情報記憶部５３とを備える。
【００３２】
カバレッジ決定条件記憶部５１は、基地局装置２０のカバレッジを決定するための条件（以下、「カバレッジ決定条件」という。）を示す情報を記憶する。以下、キャパシティよりもカバレッジを優先して、そのカバレッジを決定するカバレッジ用途の条件を、「第１のカバレッジ決定条件」という。また、カバレッジよりもキャパシティを優先して、そのカバレッジを決定するキャパシティ用途の条件を、「第２のカバレッジ決定条件」という。
【００３３】
図５は、カバレッジ決定条件の第１例を示す図である。カバレッジ決定条件の第１例では、第１の搬送周波数は、第１のカバレッジ決定条件が設けられた搬送周波数である。第２の搬送周波数は、第１のカバレッジ決定条件が設けられた搬送周波数である。第３の搬送周波数は、第２のカバレッジ決定条件が設けられた搬送周波数である。以下、無線部２３と、信号処理部２４と、アンテナ装置３１との少なくとも一つを含む装置を、「無線通信装置」という。
【００３４】
第１の搬送周波数の無線通信装置に障害が発生した場合、搬送波制御部１１は、第２の搬送周波数のカバレッジを維持する。また、搬送波制御部１１は、第１の搬送周波数の無線通信装置に障害が発生した場合、第２の搬送周波数のカバレッジにおけるトラフィック負荷が増加するため、第２の搬送周波数のカバレッジと他の搬送周波数のカバレッジとの間で、トラフィック負荷の調整を実行する。他の搬送周波数のカバレッジは、他の基地局装置２０のカバレッジでもよい。
【００３５】
また、搬送波制御部１１は、第１の搬送周波数の無線通信装置に障害が発生した場合、第２の搬送周波数のカバレッジにおけるトラフィック負荷を減らすように、第３の搬送周波数のカバレッジをできる限り拡大する。
【００３６】
例えば、搬送波制御部１１は、第１の搬送周波数の無線通信装置に障害が発生し、第２の搬送周波数のカバレッジにおけるトラフィック負荷が所定閾値以上に増加した場合、第３の搬送周波数のカバレッジを拡大する。搬送波制御部１１は、第１の搬送周波数のカバレッジと同じ範囲にカバレッジが及んでいるか否かを確認し、及んでいない場合には、第３の搬送周波数のカバレッジを拡大してもよい。
【００３７】
例えば、搬送波制御部１１は、第１の搬送周波数の無線通信装置に障害が発生し、第１の搬送周波数の停波が所定時間以上に続いた場合、第３の搬送周波数のカバレッジを拡大する。
【００３８】
例えば、搬送波制御部１１は、第１の搬送周波数の無線通信装置に障害が発生し、第２の搬送周波数のカバレッジにおけるトラフィック負荷と、第３の搬送周波数のカバレッジにおけるトラフィック負荷とが、いずれも所定閾値以上に増加した場合、他の基地局装置２０と連携して、他の基地局装置２０のトラヒック負荷を考慮して、他の基地局装置２０によるカバレッジを実行する。
また、搬送波制御部１１は、第１の搬送周波数の無線通信装置に障害が発生した場合、第３の搬送周波数のカバレッジを、独立に制御してもよい。
【００３９】
第２の搬送周波数の無線通信装置に障害が発生した場合、搬送波制御部１１は、第１の搬送周波数のカバレッジを維持する。また、搬送波制御部１１は、第２の搬送周波数の無線通信装置に障害が発生した場合、第１の搬送周波数のカバレッジにおけるトラフィック負荷が増加するため、第１の搬送周波数のカバレッジと他の搬送周波数のカバレッジとの間で、トラフィック負荷の調整を実行する。他の搬送周波数のカバレッジは、他の基地局装置２０のカバレッジでもよい。
【００４０】
また、搬送波制御部１１は、第２の搬送周波数の無線通信装置に障害が発生した場合、第１の搬送周波数のカバレッジにおけるトラフィック負荷を減らすように、第３の搬送周波数のカバレッジをできる限り拡大する。
【００４１】
例えば、搬送波制御部１１は、第２の搬送周波数の無線通信装置に障害が発生し、第１の搬送周波数のカバレッジにおけるトラフィック負荷が所定閾値以上に増加した場合、第３の搬送周波数のカバレッジを拡大する。搬送波制御部１１は、第２の搬送周波数のカバレッジと同じ範囲にカバレッジが及んでいるか否かを確認し、及んでいない場合には、第３の搬送周波数のカバレッジを拡大してもよい。
【００４２】
例えば、搬送波制御部１１は、第２の搬送周波数の無線通信装置に障害が発生し、第２の搬送周波数の停波が所定時間以上に続いた場合、第３の搬送周波数のカバレッジを拡大する。
【００４３】
例えば、搬送波制御部１１は、第２の搬送周波数の無線通信装置に障害が発生し、第１の搬送周波数のカバレッジにおけるトラフィック負荷と、第３の搬送周波数のカバレッジにおけるトラフィック負荷とが、いずれも所定閾値以上に増加した場合、他の基地局装置２０と連携して、他の基地局装置２０のトラヒック負荷を考慮して、他の基地局装置２０によるカバレッジを実行する。
また、搬送波制御部１１は、第２の搬送周波数の無線通信装置に障害が発生した場合、第３の搬送周波数のカバレッジを、独立に制御してもよい。
【００４４】
第３の搬送周波数の無線通信装置に障害が発生した場合、搬送波制御部１１は、第１の搬送周波数のカバレッジを維持する。また、搬送波制御部１１は、第３の搬送周波数の無線通信装置に障害が発生した場合、第１の搬送周波数のカバレッジにおけるトラフィック負荷が増加するため、第１の搬送周波数のカバレッジと他の搬送周波数のカバレッジとの間で、トラフィック負荷の調整を実行する。また、搬送波制御部１１は、第３の搬送周波数の無線通信装置に障害が発生した場合、第２の搬送周波数のカバレッジにおけるトラフィック負荷が増加するため、第２の搬送周波数のカバレッジと他の搬送周波数のカバレッジとの間で、トラフィック負荷の調整を実行する。他の搬送周波数のカバレッジは、他の基地局装置２０のカバレッジでもよい。
【００４５】
図６は、カバレッジ決定条件の第２例を示す図である。カバレッジ決定条件の第２例では、第１の搬送周波数は、第１のカバレッジ決定条件が設けられた搬送周波数である。第２の搬送周波数は、第１のカバレッジ決定条件が設けられた搬送周波数である。第３の搬送周波数は、カバレッジ決定条件の第１例とは異なり、第１のカバレッジ決定条件が設けられた搬送周波数である。
【００４６】
第１の搬送周波数の無線通信装置に障害が発生した場合、搬送波制御部１１は、第２の搬送周波数のカバレッジを維持する。また、搬送波制御部１１は、第１の搬送周波数の無線通信装置に障害が発生した場合、第２の搬送周波数のカバレッジにおけるトラフィック負荷が増加するため、第２の搬送周波数のカバレッジと他の搬送周波数のカバレッジとの間で、トラフィック負荷の調整を実行する。
【００４７】
例えば、搬送波制御部１１は、第１の搬送周波数の無線通信装置に障害が発生し、第２の搬送周波数のカバレッジにおけるトラフィック負荷が所定閾値以上に増加した場合、第３の搬送周波数のカバレッジの冗長性を変更する。
【００４８】
例えば、搬送波制御部１１は、第１の搬送周波数の無線通信装置に障害が発生し、第１の搬送周波数の停波が所定時間以上に続いた場合、第３の搬送周波数のカバレッジの冗長性を変更する。
【００４９】
例えば、搬送波制御部１１は、第１の搬送周波数の無線通信装置に障害が発生し、第２の搬送周波数のカバレッジにおけるトラフィック負荷と、第３の搬送周波数のカバレッジにおけるトラフィック負荷とが、いずれも所定閾値以上に増加した場合、他の基地局装置２０と連携して、他の基地局装置２０のトラヒック負荷を考慮して、他の基地局装置２０によるカバレッジを実行する。
【００５０】
また、搬送波制御部１１は、第１の搬送周波数の無線通信装置に障害が発生した場合、第３の搬送周波数のカバレッジを維持する。また、搬送波制御部１１は、第１の搬送周波数の無線通信装置に障害が発生した場合、第３の搬送周波数のカバレッジにおけるトラフィック負荷が増加するため、第３の搬送周波数のカバレッジと他の搬送周波数のカバレッジとの間で、トラフィック負荷の調整を実行する。他の搬送周波数のカバレッジは、他の基地局装置２０のカバレッジでもよい。
【００５１】
第２の搬送周波数の無線通信装置に障害が発生した場合、搬送波制御部１１は、第１の搬送周波数のカバレッジを維持する。また、搬送波制御部１１は、第２の搬送周波数の無線通信装置に障害が発生した場合、第１の搬送周波数のカバレッジにおけるトラフィック負荷が増加するため、第１の搬送周波数のカバレッジと他の搬送周波数のカバレッジとの間で、トラフィック負荷の調整を実行する。
【００５２】
例えば、搬送波制御部１１は、第２の搬送周波数の無線通信装置に障害が発生し、第１の搬送周波数のカバレッジにおけるトラフィック負荷が所定閾値以上に増加した場合、第３の搬送周波数のカバレッジの冗長性を変更する。
【００５３】
例えば、搬送波制御部１１は、第２の搬送周波数の無線通信装置に障害が発生し、第２の搬送周波数の停波が所定時間以上に続いた場合、第３の搬送周波数のカバレッジの冗長性を変更する。
【００５４】
例えば、搬送波制御部１１は、第２の搬送周波数の無線通信装置に障害が発生し、第１の搬送周波数のカバレッジにおけるトラフィック負荷と、第３の搬送周波数のカバレッジにおけるトラフィック負荷とが、いずれも所定閾値以上に増加した場合、他の基地局装置２０と連携して、他の基地局装置２０のトラヒック負荷を考慮して、他の基地局装置２０によるカバレッジを実行する。
【００５５】
また、搬送波制御部１１は、第２の搬送周波数の無線通信装置に障害が発生した場合、第３の搬送周波数のカバレッジを維持する。また、搬送波制御部１１は、第２の搬送周波数の無線通信装置に障害が発生した場合、第３の搬送周波数のカバレッジにおけるトラフィック負荷が増加するため、第３の搬送周波数のカバレッジと他の搬送周波数のカバレッジとの間で、トラフィック負荷の調整を実行する。他の搬送周波数のカバレッジは、他の基地局装置２０のカバレッジでもよい。
【００５６】
第３の搬送周波数の無線通信装置に障害が発生した場合、搬送波制御部１１は、第１の搬送周波数のカバレッジを維持する。また、搬送波制御部１１は、第３の搬送周波数の無線通信装置に障害が発生した場合、第１の搬送周波数のカバレッジにおけるトラフィック負荷が増加するため、第１の搬送周波数のカバレッジと他の搬送周波数のカバレッジとの間で、トラフィック負荷の調整を実行する。
【００５７】
例えば、搬送波制御部１１は、第３の搬送周波数の無線通信装置に障害が発生し、第１の搬送周波数のカバレッジにおけるトラフィック負荷が所定閾値以上に増加した場合、第３の搬送周波数のカバレッジの冗長性を変更する。
【００５８】
例えば、搬送波制御部１１は、第２の搬送周波数の無線通信装置に障害が発生し、第２の搬送周波数の停波が所定時間以上に続いた場合、第３の搬送周波数のカバレッジの冗長性を変更する。
【００５９】
例えば、搬送波制御部１１は、第２の搬送周波数の無線通信装置に障害が発生し、第１の搬送周波数のカバレッジにおけるトラフィック負荷と、第３の搬送周波数のカバレッジにおけるトラフィック負荷とが、いずれも所定閾値以上に増加した場合、他の基地局装置２０と連携して、他の基地局装置２０のトラヒック負荷を考慮して、他の基地局装置２０によるカバレッジを実行する。
【００６０】
また、搬送波制御部１１は、第３の搬送周波数の無線通信装置に障害が発生した場合、第２の搬送周波数のカバレッジを維持する。また、搬送波制御部１１は、第３の搬送周波数の無線通信装置に障害が発生した場合、第３の搬送周波数のカバレッジにおけるトラフィック負荷が増加するため、第２の搬送周波数のカバレッジと他の搬送周波数のカバレッジとの間で、トラフィック負荷の調整を実行する。他の搬送周波数のカバレッジは、他の基地局装置２０のカバレッジでもよい。
【００６１】
図１に戻り、無線通信システム１の構成例の説明を続ける。基地局管理情報記憶部５３は、基地局装置２０の管理情報を記憶する。基地局装置２０の管理情報は、例えば、基地局装置２０が使用する搬送周波数、基地局装置２０のカバレッジ、又は、基地局装置２０の運用方針などの情報である。基地局装置２０の管理情報は、搬送波周波数と、搬送波周波数の用途と、アンテナ装置３１のチルト角とを対応付けて含む情報（図４を参照）でもよい。
【００６２】
カバレッジ決定条件記憶部５１と、基地局管理情報記憶部５３とは、例えば、ＲＯＭ（Read Only Memory）、フラッシュメモリ、ＨＤＤ（Hard Disk Drive）などの不揮発性の記憶媒体（非一時的な記憶媒体）を有する。カバレッジ決定条件記憶部５１と、基地局管理情報記憶部５３は、例えば、ＲＡＭ（Random Access Memory）やレジスタなどの揮発性の記憶媒体を有していてもよい。カバレッジ決定条件記憶部５１と、基地局管理情報記憶部５３とは、ソフトウェア機能部を動作させるためのプログラムを記憶してもよい。
【００６３】
カバレッジ決定部５２は、基地局情報（後述する）を、基地局装置２０から受信する。カバレッジ決定部５２は、受信した基地局情報と、基地局装置２０の管理情報と、カバレッジ決定条件とに基づいて、基地局装置２０が使用する搬送波周波数ごとに、基地局装置２０のカバレッジを決定する。カバレッジ決定部５２は、決定したカバレッジに関する情報を、出力部１２に送信する。決定したカバレッジに関する情報は、例えば、チルト角変更指示や、アンテナ装置３１のアンテナから送信される電波の送信電力を変更する指示（以下、「送信電力変更指示」という。）を含む。送信電力変更指示は、例えば、アンテナ装置３１のアンテナから送信される電波の送信電力を、セクタごとに変更する指示である。
【００６４】
カバレッジ決定部５２は、例えば、ＣＰＵ（Central Processing Unit）等のプロセッサが、カバレッジ決定条件記憶部５１又は基地局管理情報記憶部５３に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００６５】
出力部１２は、決定したカバレッジに関する情報を、カバレッジ決定部５２から受信する。出力部１２は、決定したカバレッジに関する情報に基づいて、カバレッジ制御情報を基地局装置２０に送信する。カバレッジ制御情報は、チルト角変更指示と、送信電力変更指示とのうち、少なくとも一方を含む。また、カバレッジ制御情報は、アンテナ装置３１のアンテナを制御するためのパラメータ（以下、「アンテナパラメータ」という。）を含んでもよい。アンテナパラメータは、例えば、アンテナゲイン、ビーム幅、水平無線パラメータ、垂直無線パラメータなどである。アンテナパラメータは、カバレッジ制御情報に基づいて定められる。
【００６６】
基地局装置２０の構成を説明する。
基地局装置２０は、情報出力部２１と、制御部２２と、無線部２３と、信号処理部２４とを備える。情報出力部２１は、制御装置１０のカバレッジ決定部５２に、基地局情報を出力する。基地局情報は、カバレッジ品質情報とトラフィック負荷情報とのうち、少なくとも一方を含む。
【００６７】
カバレッジ品質情報は、基地局装置２０の搬送波周波数ごとのカバレッジの無線通信品質を示す情報である。例えば、カバレッジ品質情報は、共通パイロットチャネル（CPICH：Common Pilot Channel）の受信電力（CPICH RSCP：Received Signal Code Power）、共通パイロットチャネルの受信品質（CPICH Ec/No）、下りリンク（基地局装置２０から端末装置４０へのリンク）リファレンス信号（Downlink Reference Signal）の受信電力（RSRP：Reference Signal Received Power）、下りリンクリファレンス信号の受信品質（RSRQ：Reference Signal Received Quality）、ＣＱＩ（Channel Quality Indicator）、接続率、又は、呼損率などの情報である。
【００６８】
トラフィック負荷情報は、基地局装置２０のトラフィック負荷を示す情報である。トラフィック負荷情報は、トラフィック負荷を基地局装置２０ごとに示す情報である。また、トラフィック負荷情報は、トラフィック負荷をカバレッジごとに示す情報でもよい。例えば、トラフィック負荷情報は、基地局装置２０に通信接続する端末装置４０の数（セル単位の接続端末数）、基地局装置２０に接続する端末装置４０のセクタスループット、又は、基地局装置２０の無線リソースの使用率などの情報である。
【００６９】
制御部２２が制御対象とする搬送波周波数は、基地局装置２０が使用する複数の搬送波周波数であればよく、特定の搬送波周波数に限定されない。以下では、搬送波周波数は、一例として、第１の搬送波周波数と、第２の搬送波周波数と、第３の搬送波周波数とであるものとして説明を続ける。第１の搬送波周波数は、例えば、搬送波周波数ｆ１である。第２の搬送波周波数は、例えば、搬送波周波数ｆ２である。第３の搬送波周波数は、例えば、搬送波周波数ｆ３である。
【００７０】
制御部２２は、カバレッジ制御情報を、制御装置１０の出力部１２から受信する。制御部２２は、無線部２３と信号処理部２４とチルト制御装置３０とを制御する制御機能部を、制御対象とする搬送波周波数ごとに備える。制御部２２は、これらの制御機能部として、第１制御部２２１と、第２制御部２２２と、第３制御部２２３とを備える。
【００７１】
第１制御部２２１は、カバレッジ制御情報に基づく動作モードに応じて、第１の搬送波周波数に関する制御を実行する。第２制御部２２２は、カバレッジ制御情報に基づく動作モードに応じて、第２の搬送波周波数に関する制御を実行する。第３制御部２２３は、カバレッジ制御情報に基づく動作モードに応じて、第３の搬送波周波数に関する制御を実行する。以下、第１制御部２２１と、第２制御部２２２と、第３制御部２２３とに共通する事項については、制御部２２に関する事項として記載する。
【００７２】
制御部２２は、制御装置１０の出力部１２から受信したカバレッジ制御情報に基づいて、基地局装置２０のカバレッジを変更する。例えば、制御部２２は、搬送周波数の使用方法を変更する指示を、カバレッジ制御情報に基づいて信号処理部２４に指示する。また、例えば、制御部２２は、チルト角変更指示がカバレッジ制御情報に含まれている場合、チルト角変更指示を、搬送周波数ごとにチルト制御装置３０に転送する。また、例えば、制御部２２は、送信電力変更指示がカバレッジ制御情報に含まれている場合、送信電力変更指示を、搬送周波数ごとに無線部２３に転送する。また、例えば、制御部２２は、アンテナパラメータを変更する指示がカバレッジ制御情報に含まれている場合、アンテナパラメータを変更する指示を、搬送周波数ごとに無線部２３に転送する。
【００７３】
無線部２３は、アンテナ装置３１のアンテナから送信される電波の送信電力を、送信電力変更指示に基づいて、搬送周波数ごとに変更する。無線部２３は、アンテナ装置３１のアンテナパラメータを、アンテナパラメータを変更する指示に基づいて、搬送周波数ごとに変更する。無線部２３は、信号処理部２４によって定められた搬送周波数の使用方法と、アンテナパラメータとに基づいて、アンテナ装置３１を制御する。
【００７４】
信号処理部２４は、搬送周波数の使用方法を変更する指示に基づいて、搬送周波数の使用方法を定める。信号処理部２４は、搬送周波数の使用方法を示す情報を、無線部２３に送信する。
【００７５】
次に、故障等によって電波が停波して失ったカバレッジを制御装置１０が他の搬送周波数のカバレッジによって補う方法について説明する。図７から図１０では、一例として、カバレッジ決定条件の第１例（図５を参照）に基づいて制御装置１０がカバレッジを補う方法について説明する。
【００７６】
図７は、カバレッジの第１例を示す図である。カバレッジＣｏｖ＿ｆ１−１は、基地局装置２０−１が制御するアンテナ装置３１−１−１から送信された第１の搬送周波数の電波によるカバレッジである。カバレッジＣｏｖ＿ｆ３−１は、基地局装置２０−１が制御するアンテナ装置３１−１−３から送信された第３の搬送周波数の電波によるカバレッジである。カバレッジＣｏｖ＿ｆ１−２は、基地局装置２０−２が制御するアンテナ装置３１−２−１から送信された第１の搬送周波数の電波によるカバレッジである。カバレッジＣｏｖ＿ｆ３−２は、基地局装置２０−２が制御するアンテナ装置３１−２−３から送信された第３の搬送周波数の電波によるカバレッジである。
【００７７】
図８は、図７に示すカバレッジの第１例において失ったカバレッジＣｏｖ＿ｆ１−１を補う方法の例を示す図である。図８では、基地局装置２０−１の第１の搬送周波数の無線通信装置に、障害が発生しているものとする。このため、図８では、カバレッジＣｏｖ＿ｆ１−１が失われている。制御装置１０のカバレッジ決定部５２は、カバレッジ決定条件の第１例を示す情報を、制御装置１０のカバレッジ決定条件記憶部５１から取得する。
【００７８】
カバレッジ決定部５２は、第１の搬送周波数の無線通信装置に障害が発生しているので、カバレッジ決定条件の第１例に基づいて、第３の搬送周波数のカバレッジＣｏｖ＿ｆ３−１を拡大することが可能であるか否かを判定する。カバレッジ決定部５２は、第３の搬送周波数のカバレッジＣｏｖ＿ｆ３−１のトラフィック負荷に余裕があり、第３の搬送周波数のカバレッジＣｏｖ＿ｆ３−１を拡大することが可能である場合、第３の搬送周波数のカバレッジＣｏｖ＿ｆ３−１をできる限り拡大する。
【００７９】
カバレッジ決定部５２は、第３の搬送周波数のカバレッジＣｏｖ＿ｆ３−１のトラフィック負荷に余裕がなく、第３の搬送周波数のカバレッジＣｏｖ＿ｆ３−１を拡大することが可能でない場合、第１の搬送周波数の無線通信装置に障害が発生しているので、カバレッジ決定条件の第１例に基づいて、基地局装置２０−１のカバレッジと、基地局装置２０−２のカバレッジとの間で、トラフィック負荷の調整を実行する。カバレッジ決定部５２は、第１の搬送周波数のカバレッジＣｏｖ＿ｆ１−２を拡大することが可能であるか否かを判定する。カバレッジ決定部５２は、第１の搬送周波数のカバレッジＣｏｖ＿ｆ１−２のトラフィック負荷に余裕があり、第１の搬送周波数のカバレッジＣｏｖ＿ｆ１−２を拡大することが可能である場合、第１の搬送周波数のカバレッジＣｏｖ＿ｆ１−２を拡大する。カバレッジ決定部５２は、第１の搬送周波数のカバレッジＣｏｖ＿ｆ１−２のトラフィック負荷に余裕がなく、第１の搬送周波数のカバレッジＣｏｖ＿ｆ１−２を拡大することが可能でない場合、第３の搬送周波数のカバレッジＣｏｖ＿ｆ３−２を拡大する。
【００８０】
この調整の結果に基づいて、基地局装置２０−２は、カバレッジＣｏｖ＿ｆ１−２と、カバレッジＣｏｖ＿ｆ３−２とを、それぞれ拡大させる。これにより、無線通信システム１は、失ったカバレッジＣｏｖ＿ｆ１−１を、連携した複数の搬送周波数のカバレッジによって補うことができる。図８では、無線通信システム１は、失ったカバレッジＣｏｖ＿ｆ１−１を、カバレッジＣｏｖ＿ｆ３−１と、カバレッジＣｏｖ＿ｆ１−２と、カバレッジＣｏｖ＿ｆ１−２とによって補うことができる。
【００８１】
図９は、カバレッジの第２例を示す図である。カバレッジの第２例では、第２の搬送周波数のカバレッジＣｏｖ＿ｆ２−１と、第２の搬送周波数のカバレッジＣｏｖ＿ｆ２−２とが存在している点が、図７に示すカバレッジの第１例との相違点である。図９では、図７との相違点についてのみ説明する。
【００８２】
カバレッジＣｏｖ＿ｆ２−１は、基地局装置２０−１が制御するアンテナ装置３１−１−２から送信された第２の搬送周波数の電波によるカバレッジである。カバレッジＣｏｖ＿ｆ２−２は、基地局装置２０−２が制御するアンテナ装置３１−２−２から送信された第２の搬送周波数の電波によるカバレッジである。
【００８３】
図１０は、図９に示すカバレッジの第２例において失ったカバレッジＣｏｖ＿ｆ２−１を補う方法の例を示す図である。カバレッジの第２例では、基地局装置２０−１の第２の搬送周波数の無線通信装置に障害が発生している点が、図８に示すカバレッジの第１例との相違点である。また、カバレッジの第２例では、基地局装置２０−２の第２の搬送周波数のカバレッジＣｏｖ＿ｆ２−２が存在している点も、図８に示すカバレッジの第１例との相違点である。図１０では、図８との相違点についてのみ説明する。
【００８４】
カバレッジ決定部５２は、第２の搬送周波数の無線通信装置に障害が発生しているので、カバレッジ決定条件の第１例に基づいて、第１の搬送周波数のカバレッジＣｏｖ＿ｆ１−１を維持する。また、カバレッジ決定部５２は、第２の搬送周波数の無線通信装置に障害が発生しているので、カバレッジ決定条件の第１例に基づいて、第３の搬送周波数のカバレッジＣｏｖ＿ｆ３−１を拡大することが可能であるか否かを判定する。カバレッジ決定部５２は、第３の搬送周波数のカバレッジＣｏｖ＿ｆ３−１のトラフィック負荷に余裕があり、第３の搬送周波数のカバレッジＣｏｖ＿ｆ３−１を拡大することが可能である場合、第３の搬送周波数のカバレッジＣｏｖ＿ｆ３−１をできる限り拡大する。
【００８５】
カバレッジ決定部５２は、第３の搬送周波数のカバレッジＣｏｖ＿ｆ３−１のトラフィック負荷に余裕がなく、第３の搬送周波数のカバレッジＣｏｖ＿ｆ３−１を拡大することが可能でない場合、第２の搬送周波数の無線通信装置に障害が発生しているので、カバレッジ決定条件の第１例に基づいて、基地局装置２０−１のカバレッジと、基地局装置２０−２のカバレッジとの間で、トラフィック負荷の調整を実行する。カバレッジ決定部５２は、第２の搬送周波数のカバレッジＣｏｖ＿ｆ２−２を拡大することが可能であるか否かを判定する。カバレッジ決定部５２は、第２の搬送周波数のカバレッジＣｏｖ＿ｆ２−２のトラフィック負荷に余裕があり、第２の搬送周波数のカバレッジＣｏｖ＿ｆ２−２を拡大することが可能である場合、第２の搬送周波数のカバレッジＣｏｖ＿ｆ２−２を拡大する。カバレッジ決定部５２は、第２の搬送周波数のカバレッジＣｏｖ＿ｆ２−２のトラフィック負荷に余裕がなく、第２の搬送周波数のカバレッジＣｏｖ＿ｆ２−２を拡大することが可能でない場合、第３の搬送周波数のカバレッジＣｏｖ＿ｆ３−２を拡大する。
【００８６】
この調整の結果に基づいて、基地局装置２０−２は、カバレッジＣｏｖ＿ｆ１−２と、カバレッジＣｏｖ＿ｆ２−２と、カバレッジＣｏｖ＿ｆ３−２とを、それぞれ拡大させる。これにより、無線通信システム１は、失ったカバレッジＣｏｖ＿ｆ２−１を、連携した複数の搬送周波数のカバレッジによって補うことができる。図１０では、無線通信システム１は、失ったカバレッジＣｏｖ＿ｆ１−１を、カバレッジＣｏｖ＿ｆ１−１と、カバレッジＣｏｖ＿ｆ３−１と、カバレッジＣｏｖ＿ｆ２−２と、カバレッジＣｏｖ＿ｆ３−２とによって補うことができる。
【００８７】
次に、無線通信システム１の動作を説明する。図１１では、一例として、図９に示す場合、すなわち、第２の搬送周波数を使用する基地局装置２０の無線通信装置に障害が発生した場合について説明する。
【００８８】
なお、図１１を用いて説明する動作において、第１制御部２２１と、第２制御部２２２と、第３制御部２２３とを互いに置き換えることによって、第２の搬送周波数以外を使用する無線通信装置に障害が発生した場合の無線通信システム１の動作を、同様に説明することができる。つまり、第１の搬送周波数と、第２の搬送周波数と、第３の搬送周波数との表記は、便宜的なものであるため読み替え可能である。
【００８９】
図１１は、無線通信システム１の動作を示すシーケンス図である。第２の搬送周波数を使用する無線通信装置に、障害又は異常が発生したとする。
第２制御部２２２は、第２の搬送周波数を使用する無線通信装置に障害が発生したことを示す通知を、情報出力部２１を介してカバレッジ決定部５２に通知する（Ｓ１０１）。
カバレッジ決定部５２は、第２の搬送周波数を使用する無線通信装置に障害が発生したことを検出する（Ｓ１０２）。
カバレッジ決定部５２は、障害が一定時間以上復旧していないことを検出する（Ｓ１０３）。
【００９０】
カバレッジ決定部５２は、第１の搬送周波数のカバレッジに余裕があるか否かを判定する。第１の搬送周波数のカバレッジに余裕がある場合、カバレッジ決定部５２は、図１１に示す動作を終了する。
第１の搬送周波数のカバレッジに余裕がない場合、カバレッジ決定部５２は、カバレッジ決定条件記憶部５１にアクセスし、カバレッジ決定条件を取得する。カバレッジ決定部５２は、動作モード「カバレッジモード（冗長なし）」を、第１制御部２２１に通知する（Ｓ１０４）。
第１制御部２２１は、通知された動作モードに基づいて、動作モードをカバレッジモード（冗長なし）に変更する（Ｓ１０５）。
【００９１】
未だ第１の搬送周波数のカバレッジに余裕がない場合、カバレッジ決定部５２は、カバレッジＣｏｖ＿ｆ３−１と、カバレッジＣｏｖ＿ｆ３−２などの他のカバレッジとの調整を実行する。例えば、カバレッジ決定部５２は、第２の搬送周波数を使用する無線通信装置に障害が発生したことを示す通知と、障害の発生している基地局装置２０を識別する情報とを、他の基地局装置２０に通知する。通知を受けた他の基地局装置２０は、トラヒック負荷を見極めながらカバレッジを拡大する。カバレッジ決定部５２は、動作モード「カバレッジモード」を、第３制御部２２３に通知する。カバレッジモードは、カバレッジ用途で動作するための動作モードである（Ｓ１０６）。
第３制御部２２３は、通知された動作モードに基づいて、動作モードをカバレッジモードに変更する（Ｓ１０７）。
【００９２】
カバレッジ決定部５２は、基地局管理情報記憶部５３にアクセスし、基地局管理情報を参照する。カバレッジ決定部５２は、アンテナ装置３１−１−３のチルト角を、第３制御部２２３に通知する（Ｓ１０８）。
【００９３】
第３制御部２２３は、通知されたチルト角となるように、アンテナ装置３１−１−３のチルト角を、チルト制御装置３０を介して変更する。これによって、図１０に示すカバレッジＣｏｖ＿ｆ３−１は拡大する（Ｓ１０９）。
【００９４】
第２の搬送周波数を使用する無線通信装置の障害が、復旧又は回復したとする。第２制御部２２２は、第２の搬送周波数を使用する無線通信装置の障害が復旧したことを示す通知を、カバレッジ決定部５２に通知する（Ｓ１１０）。
カバレッジ決定部５２は、第２の搬送周波数を使用する無線通信装置の障害が復旧したことを検出する（Ｓ１１１）。
【００９５】
カバレッジ決定部５２は、動作モード「カバレッジモード（冗長あり）」を、第３制御部２２３に通知する（Ｓ１１２）。
第１制御部２２１は、通知された動作モードに基づいて、動作モードをカバレッジモード（冗長あり）に戻す（Ｓ１１３）。
【００９６】
カバレッジ決定部５２は、動作モード「キャパシティモード」を、第３制御部２２３に通知する。キャパシティモードは、キャパシティ用途で動作するための動作モードである（Ｓ１１４）。
第３制御部２２３は、通知された動作モードに基づいて、動作モードをキャパシティモードに戻す（Ｓ１１５）。
【００９７】
カバレッジ決定部５２は、基地局管理情報記憶部５３にアクセスし、基地局管理情報を参照する。カバレッジ決定部５２は、アンテナ装置３１−１−３のチルト角を、第３制御部２２３に通知する（Ｓ１１６）。
第３制御部２２３は、通知されたチルト角となるように、アンテナ装置３１−１−３のチルト角を、チルト制御装置３０を介して変更する。これによって、図１０に示すカバレッジＣｏｖ＿ｆ３−１は、元に戻る（Ｓ１１７）。
【００９８】
以上のように、制御装置１０は、端末装置４０との間の無線通信に複数の搬送周波数を使用する基地局装置２０を制御対象とする制御情報を出力する。制御装置１０は、搬送波制御部１１と、出力部１２とを備える。搬送波制御部１１は、複数の搬送周波数のうち、第１の搬送周波数を使用する基地局装置２０の無線通信装置の異常が検出されたことを示す通知を受信した場合、第１の搬送周波数のカバレッジに基づいて、第２の搬送周波数のカバレッジを決定する。出力部１２は、決定されたカバレッジについての制御情報を、基地局装置２０に出力する。基地局装置２０の無線通信装置の異常とは、例えば、基地局装置２０の工事による計画的な停波でもよい。
【００９９】
この構成により、搬送波制御部１１は、複数の搬送周波数のうち、第１の搬送周波数を使用する基地局装置２０の無線通信装置の異常が検出されたことを示す通知を受信した場合、第１の搬送周波数のカバレッジに基づいて、第２の搬送周波数のカバレッジを決定する。
これにより、第１実施形態の無線通信システム１、制御装置１０、制御方法、及び制御プログラムは、複数の搬送周波数のうちいずれかが使用できない場合でも、その悪影響を低減することができる。
【０１００】
第１実施形態の搬送波制御部１１は、第１の搬送周波数のカバレッジが縮小した場合、第２の搬送周波数のカバレッジを拡大させてもよい。第１実施形態の搬送波制御部１１は、第１の搬送周波数のカバレッジが縮小した場合、第２の搬送周波数のカバレッジを拡大させてもよい。
【０１０１】
第１実施形態の搬送波制御部１１は、無線通信装置の異常が検出されたことを示す通知を受信してから一定時間が経過した場合、第２の搬送周波数のカバレッジを拡大させてもよい。第１実施形態の搬送波制御部１１は、無線通信装置の異常が解消したことを示す通知を受信した場合、第２の搬送周波数のカバレッジを縮小させてもよい。
第１の搬送周波数は、第１のカバレッジ決定条件が設けられた搬送周波数でもよい。第２の搬送周波数は、第２のカバレッジ決定条件が設けられた搬送周波数でもよい。
【０１０２】
第１実施形態の搬送波制御部１１は、第１の搬送周波数のカバレッジが回復したことを示す通知を受信した場合、現在の第２のカバレッジ決定条件を、元の第２のカバレッジ決定条件に戻してもよい。
制御情報は、基地局装置２０のアンテナ装置３１のチルト角を制御する情報（チルト角変更指示）でもよい。制御情報は、基地局装置２０の送信電力を制御する情報（送信電力変更指示）でもよい。
これにより、第１実施形態の無線通信システム１、制御装置１０、制御方法、及び制御プログラムは、カバレッジやトラヒック負荷等の多様なトラヒックへの対応能力を、向上させることができる。
【０１０３】
［第２実施形態］
第２実施形態では、搬送波制御部１１が複数の基地局装置２０ａに分散して設けられる点が、第１実施形態と相違する。以下では、第１実施形態との相違点についてのみ説明する。
【０１０４】
図１２は、無線通信システム２を示す構成図である。無線通信システム２は、複数の基地局装置２０ａと、チルト制御装置３０と、アンテナ装置３１と、一つ以上の端末装置４０とを備える。基地局装置２０ａは、制御部２２ａと、無線部２３と、信号処理部２４とを備える。
【０１０５】
制御部２２ａは、無線部２３と信号処理部２４とチルト制御装置３０とを制御する制御機能部を、制御対象とする搬送波周波数ごとに備える。制御部２２ａは、これらの制御機能部として、第１制御部２２１と、第２制御部２２２と、第３制御部２２３とを備える。制御部２２ａは、搬送波制御部１１を更に備える。第１制御部２２１と、第２制御部２２２と、第３制御部２２３とは、制御部２２ａの搬送波制御部１１による分散制御に応じて動作する。
【０１０６】
次に、無線通信システム２の動作を説明する。図１３では、一例として、図９に示す場合、すなわち、第２の搬送周波数を使用する基地局装置２０の無線通信装置に障害が発生した場合について説明する。
【０１０７】
なお、図１３を用いて説明する動作において、第１制御部２２１と、第２制御部２２２と、第３制御部２２３とを互いに置き換えることによって、第２の搬送周波数以外を使用する無線通信装置に障害が発生した場合の無線通信システム２の動作を、同様に説明することができる。
【０１０８】
図１３は、無線通信システム２の動作を示すシーケンス図である。第２の搬送周波数を使用する無線通信装置に、障害又は異常が発生したとする。
【０１０９】
第２制御部２２２は、第２の搬送周波数を使用する無線通信装置に障害が発生したことを示す通知を、カバレッジ決定部５２に通知する（Ｓ２０１）。
第２制御部２２２は、障害が一定時間以上復旧していないことを検出する（Ｓ２０２）。
【０１１０】
第２制御部２２２は、第１の搬送周波数のカバレッジに余裕があるか否かを判定する。第１の搬送周波数のカバレッジに余裕がある場合、カバレッジ決定部５２は、図１１に示す動作を終了する。
第１の搬送周波数のカバレッジに余裕がない場合、第２制御部２２２は、カバレッジ決定条件記憶部５１にアクセスし、カバレッジ決定条件を参照する。第２制御部２２２は、動作モード「カバレッジモード（冗長なし）」を、第１制御部２２１に通知する（Ｓ２０３）。
第１制御部２２１は、通知された動作モードに基づいて、動作モードをカバレッジモード（冗長なし）に変更する（Ｓ２０４）。
【０１１１】
未だ第１の搬送周波数のカバレッジに余裕がない場合、第２制御部２２２は、動作モード「カバレッジモード」を、第３制御部２２３に通知する（Ｓ２０５）。
第３制御部２２３は、他の基地局装置２０ａのカバレッジＣｏｖ＿ｆ３−２などの他のカバレッジとの調整を実行するため、他の基地局装置２０ａにトリガ信号を送信する（Ｓ２０６）。
【０１１２】
第３制御部２２３は、通知された動作モードに基づいて、動作モードをカバレッジモードに変更する（Ｓ２０７）。
第３制御部２２３は、アンテナ装置３１−１−３のチルト角を、チルト制御装置３０を介して変更する。これによって、図１０に示すカバレッジＣｏｖ＿ｆ３−１は拡大する（Ｓ２０８）。
【０１１３】
第２の搬送周波数を使用する無線通信装置の障害が、復旧又は回復したとする。第２制御部２２２は、第２の搬送周波数を使用する無線通信装置の障害が復旧したことを検出する（Ｓ２０９）。
【０１１４】
第２制御部２２２は、カバレッジ決定条件記憶部５１にアクセスし、カバレッジ決定条件を参照する。第２制御部２２２は、動作モード「カバレッジモード（冗長あり）」を、第１制御部２２１に通知する（Ｓ２１０）。
第１制御部２２１は、通知された動作モードに基づいて、動作モードをカバレッジモード（冗長あり）に戻す（Ｓ２１１）。
【０１１５】
第２制御部２２２は、動作モード「キャパシティモード」を、第３制御部２２３に通知する（Ｓ２１２）。
第３制御部２２３は、他の基地局装置２０ａのカバレッジＣｏｖ＿ｆ３−２などの他のカバレッジとの調整を実行するため、他の基地局装置２０ａにトリガ信号を送信する（Ｓ２１３）。
【０１１６】
第３制御部２２３は、通知された動作モードに基づいて、動作モードをキャパシティモードに戻す（Ｓ２１４）。
第３制御部２２３は、アンテナ装置３１−１−３のチルト角を、チルト制御装置３０を介して元に戻す。これによって、図１０に示すカバレッジＣｏｖ＿ｆ３−１は元に戻る（Ｓ２１５）。
【０１１７】
以上のように、第２実施形態の搬送波制御部１１は、複数の基地局装置２０ａに分散して設けられてもよい。
【０１１８】
以上、この発明の実施形態について図面を参照して詳述してきたが、具体的な構成はこの実施形態に限られるものではなく、この発明の要旨を逸脱しない範囲の設計等も含まれる。
【０１１９】
なお、上記に説明した無線通信システム１、無線通信システム２、制御装置１０、基地局装置２０、基地局装置２０ａを実現するためのプログラムを、コンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【０１２０】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１２１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１２２】
１…無線通信システム、２…無線通信、１０…制御装置、１１…搬送波制御部、１２…出力部、２０−１〜Ｍ…基地局装置、２０ａ−１〜Ｍ…基地局装置、２１…情報出力部、２２…制御部、２２ａ…制御部、２３…無線部、２４…信号処理部、３０…チルト制御装置、３１…アンテナ装置、４０…端末装置、５１…カバレッジ決定条件記憶部、５２…カバレッジ決定部、５３…基地局管理情報記憶部、２２１…第１制御部、２２２…第２制御部、２２３…第３制御部、Ｂｕ…建物、ＢＭ…メインローブ、Ｃｏｖ＿ｆ１…第１カバレッジ、Ｃｏｖ＿ｆ２…第２カバレッジ、Ｃｏｖ＿ｆ３…第３カバレッジ、ＤｉｒＢＭ…メインローブ方向、ＤｉｒＨ…水平方向、θ＿ｔｉｌｔ…チルト角、Ｇｒ…地面
【図１】
0006453659.tif 000002
【図２】
0006453659.tif 000003
【図３】
0006453659.tif 000004
【図４】
0006453659.tif 000005
【図５】
0006453659.tif 000006
【図６】
0006453659.tif 000007
【図７】
0006453659.tif 000008
【図８】
0006453659.tif 000009
【図９】
0006453659.tif 000010
【図１０】
0006453659.tif 000011
【図１１】
0006453659.tif 000012
【図１２】
0006453659.tif 000013
【図１３】
0006453659.tif 000014